(57)【要約】【課題】冷却効率を向上させると共に、小型化が図れる冷却装置と、この冷却装置を備えるプロジェクターを提供する。【解決手段】冷却装置５は、冷却風を発生させる冷却ファン５０と、冷却ファン５０で発生した冷却風を流動させて光学装置４５へ吐出するダクト６０と、を備え、ダクト６０（Ｒ用吐出ダクト６６Ｒ、Ｇ用吐出ダクト６６Ｇ、Ｂ用吐出ダクト６６Ｂ）の内部には、冷却風の流動状態を変換する流動変換部７０を有している。また、流動変換部７０は、Ｒ用吐出ダクト６６Ｒ、Ｇ用吐出ダクト６６Ｇ、Ｂ用吐出ダクト６６Ｂの内壁６６２から突出する突出部としての突出片７１で構成されている。【選択図】図３
2011203518.tif 000002
【特許請求の範囲】
【請求項１】
冷却風を冷却対象物に吐出する冷却装置であって、
前記冷却風を発生させる冷却ファンと、
前記冷却ファンで発生した前記冷却風を流動させて前記冷却対象物へ吐出するダクトと、を備え、
前記ダクトの内部には、前記冷却風の流動状態を変換する流動変換部を有していることを特徴とする冷却装置。
【請求項２】
請求項１に記載の冷却装置であって、
前記流動変換部は、前記ダクトの内壁から前記ダクト内に突出する突出部で構成されていることを特徴とする冷却装置。
【請求項３】
請求項２に記載の冷却装置であって、
前記流動変換部は、前記冷却風の流動状態を略螺旋状の流動に変換することを特徴とする冷却装置。
【請求項４】
請求項３に記載の冷却装置であって、
前記流動変換部は、複数の前記突出部を有し、
前記複数の突出部は、略螺旋状に配設されて形成されていることを特徴とする冷却装置。
【請求項５】
請求項３に記載の冷却装置であって、
前記流動変換部の前記突出部は、略螺旋状に連続して形成されていることを特徴とする冷却装置。
【請求項６】
請求項１〜請求項５のいずれか一項に記載の冷却装置であって、
前記流動変換部は、前記ダクトの吐出口近傍に形成されていることを特徴とする冷却装置。
【請求項７】
請求項１〜請求項６のいずれか一項に記載の冷却装置と、
光源から射出された光束を画像信号に基づいて変調する光変調装置と、を備えることを特徴とするプロジェクター。
【発明の詳細な説明】
【技術分野】
【０００１】
本発明は、冷却装置と、当該冷却装置を備えたプロジェクターに関する。
【背景技術】
【０００２】
従来、光源から射出された光束を画像信号に基づいて光変調装置で変調し、射出された光学像を画像光として投写するプロジェクターが知られている。このようなプロジェクターは、高輝度化が図られ、光源や光変調装置等の発熱量が増加している。そのため、これらの発熱した光学装置を冷却することが以前にも増して重要となっている。
【０００３】
このような状況の中、特許文献１では、冷却風を発生させる冷却ファンと、冷却ファンによって発生した冷却風を第一の冷却風と第二の冷却風とに分岐させ、第一の冷却風を液晶ユニットの入・出射側空間Ａ，Ｂ内へ流入させる空冷ダクトと、第二の冷却風の向きを変えて、第一の冷却風とは異なる向きで入・出射側空間Ａ，Ｂ内へ流入させる導風板と、を有して液晶ユニットを冷却する冷却装置が開示されている。
【先行技術文献】
【特許文献】
【０００４】
【特許文献１】特開２００９−７５２１２号公報
【発明の概要】
【発明が解決しようとする課題】
【０００５】
しかし、特許文献１では、冷却風を第一の冷却風と第二の冷却風とに分岐させ、空冷ダクト及び導風板を用いてそれぞれ別々の方向から入・出射側空間Ａ，Ｂ内へ流入させなければならないため、冷却装置の構造が複雑化し易く、また、冷却装置が大型化し易いという課題があった。従って、冷却効率を向上させると共に、小型化が図れる冷却装置が要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る冷却装置は、冷却風を冷却対象物に吐出する冷却装置であって、冷却風を発生させる冷却ファンと、冷却ファンで発生した冷却風を流動させて冷却対象物へ吐出するダクトと、を備え、ダクトの内部には、冷却風の流動状態を変換する流動変換部を有していることを特徴とする。
【０００８】
このような冷却装置によれば、ダクトの内部に流動変換部を有することにより、例えば、流動変換部前段では略層流として流動していた冷却風を、流動変換部で略乱流に変換して流動させる。この、略乱流に変換された冷却風を、ダクトから冷却対象物に吐出させることにより、略層流の冷却風を冷却対象物に吐出する場合に比較して、冷却効率を向上させることができる。また、冷却対象物に対して、別々の方向から冷却風を吐出させる必要がないため、冷却装置の構造の簡素化や、冷却装置の小型化が図れる。
【０００９】
（適用例２）上記適用例に係る冷却装置において、流動変換部は、ダクトの内壁からダクト内に突出する突出部で構成されていることが好ましい。このような冷却装置によれば、ダクトの内壁からダクト内に突出する突出部により、効率的に層流を乱流に変換させることができる。
【００１０】
（適用例３）上記適用例に係る冷却装置において、流動変換部は、冷却風の流動状態を略螺旋状の流動に変換することが好ましい。このような冷却装置によれば、冷却風の流動状態を略螺旋状の流動に変換することにより、更に冷却効率を向上させることができる。
【００１１】
（適用例４）上記適用例に係る冷却装置において、流動変換部は、複数の突出部を有し、複数の突出部は、略螺旋状に配設されて形成されていることが好ましい。このような冷却装置によれば、複数の突出部が略螺旋状に配設されることにより、冷却風の流動状態を効率的に略螺旋状の流動に変換させることができる。
【００１２】
（適用例５）上記適用例に係る冷却装置において、流動変換部の突出部は、略螺旋状に連続して形成されていることが好ましい。このような冷却装置によれば、突出部が略螺旋状に連続して形成されることにより、冷却風の流動状態を効率的に略螺旋状の流動に変換させることができる。
【００１３】
（適用例６）上記適用例に係る冷却装置において、流動変換部は、ダクトの吐出口近傍に形成されていることが好ましい。このような冷却装置によれば、乱流に変換された冷却風を吐出口から効率的に吐出させることができる。そのため、乱流による冷却効率を維持させて冷却対象物を冷却することができる。
【００１４】
（適用例７）本適用例に係るプロジェクターは、上述したいずれかの冷却装置と、光源から射出された光束を画像信号に基づいて変調する光変調装置と、を備えることを特徴とする。
【００１５】
このようなプロジェクターによれば、上述した効果を有する冷却装置を備えることにより、冷却対象物としての発熱した光源や光変調装置等を効率的に冷却することができ、熱による動作不良を低減すると共に長寿命化を図ることができる。
【図面の簡単な説明】
【００１６】
【図１】第１実施形態に係るプロジェクターの光学系の構成を模式的に示す平面図。
【図２】冷却装置を示す斜視図。
【図３】冷却装置の吐出口部分を示す斜視図。
【図４】冷却装置の概断面図。
【図５】第２実施形態に係る冷却装置を示す概断面図。
【発明を実施するための形態】
【００１７】
以下、実施形態を図面に基づいて説明する。
（第１実施形態）
【００１８】
図１は、第１実施形態に係るプロジェクター１の光学系の構成を模式的に示す平面図である。図１を参照して、プロジェクター１の光学系の構成及び動作を簡略に説明する。
【００１９】
プロジェクター１は、光源から射出された光束を画像信号に基づいて変調してスクリーン（図示省略）に拡大投写する装置である。プロジェクター１は、外装を構成する外装筐体１１（図４参照）を備え、外装筐体１１内部には、光学ユニット４、冷却装置５（図２参照）、プロジェクター１の動作を制御する制御部（図示省略）を含む回路構成部（図示省略）等を備えている。
【００２０】
本実施形態の光学ユニット４は、光源装置４１と照明光学装置４２と色分離光学装置４３とリレー光学装置４４と光学装置４５と光学部品用筐体４６と投写光学装置４７とを備えている。
【００２１】
光源装置４１は、光源ランプ４１１及びリフレクター４１２を有している。光源装置４１は、光源ランプ４１１の発光による光束をリフレクター４１２で反射させて、照明光学装置４２に射出するものである。なお、本実施形態の光源ランプ４１１は、超高圧水銀ランプ等の放電式ランプを採用している。
【００２２】
照明光学装置４２は、光源装置４１から射出された光束に対し、照明光軸Ａに直交する面内での照度を均一化するためのものである。照明光学装置４２は、レンズアレイ４２１，４２２、偏光変換素子４２４、及び重畳レンズ４２５を有している。また、照明光学装置４２は、３つのフィールドレンズ４２６を有している。フィールドレンズ４２６は、光学装置４５の３つの光変調装置の手前に配置され、レンズアレイ４２２から射出された各部分光束をその中心軸に対して平行な光束に変換する。
【００２３】
色分離光学装置４３は、照明光学装置４２からの照明光束を赤色（Ｒ）光、緑色（Ｇ）光、及び青色（Ｂ）光の３つの色光に分離して対応する３つの光変調装置に導光するものである。色分離光学装置４３は、ダイクロイックミラー４３１，４３２、及び反射ミラー４３３を有している。リレー光学装置４４は、色分離光学装置４３で分離された色光（本実施形態ではＲ光）に対し、光路の長さが他の色光の光路の長さよりも長くなるため、光の発散等による光の利用効率の低下を防止し、光変調装置（本実施形態ではＲ光用光変調装置）まで導くものである。リレー光学装置４４は、入射側レンズ４４１、リレーレンズ４４３、及び反射ミラー４４２，４４４を有している。
【００２４】
光学装置４５は、各光変調装置に入射した各色光を画像信号に基づいて変調し、色合成光学装置で合成するものである。光学装置４５は、光変調装置を構成する３つの液晶パネル４５１、３つの入射側偏光板４５２、３つの射出側偏光板４５３、及び色合成光学装置としてのクロスダイクロイックプリズム４５４を有している。また、３つの液晶パネル４５１は、Ｒ光用光変調装置としてのＲ光用液晶パネル４５１Ｒ、緑色光用光変調装置としてのＧ光用液晶パネル４５１Ｇ、及びＢ光用光変調装置としてのＢ光用液晶パネル４５１Ｂで構成されている。なお、本実施形態の光変調装置を構成する３つの液晶パネル４５１は透過型を採用している。
【００２５】
投写光学装置４７は、投写レンズ４７１を有し、光学装置４５（色合成光学装置）で合成された画像光をスクリーンに拡大投写する。光学部品用筐体４６は、内部に所定の照明光軸Ａが設定され、上述した各光学装置４１〜４５を照明光軸Ａに対する所定位置に収容する。なお、上述した各光学装置４１〜４５，４７に関しては、種々の一般的なプロジェクターの光学系として利用されているため、詳細な説明を省略する。
【００２６】
図２は、冷却装置５を示す斜視図である。図３は、冷却装置５の吐出口部分を示す斜視図である。図４は、冷却装置５の概断面図である。なお、図２は、冷却装置５に加えて光学装置４５も図示している。図３は、冷却装置５のＲ用吐出ダクト６６Ｒの吐出口６６１Ｒ部分を示している。図４は、冷却装置５の吐出ダクト６５として、説明の便宜上、Ｒ用吐出ダクト６６Ｒの断面を示している。図２〜図４を参照して、冷却装置５の構成と動作を説明する。
【００２７】
プロジェクター１は、光源装置４１から射出された光束により、偏光変換素子４２４や光学装置４５（液晶パネル４５１、入射側偏光板４５２、射出側偏光板４５３）等が発熱する。本実施形態の冷却装置５は、この光学装置４５を冷却対象物として適用している。
【００２８】
冷却装置５は、冷却風を発生させる冷却ファン５０と、冷却ファン５０で発生した冷却風を流動させて冷却対象物へ吐出するダクト６０とを備えて構成される。また、ダクト６０の内部には、後述する流動変換部７０を備えている。
【００２９】
冷却ファン５０は、本実施形態では、シロッコファンを採用している。シロッコファンは、回転軸方向から吸気した外気を、回転による遠心力方向に吐出する構造となっている。ダクト６０は、プロジェクター１の外装筐体１１（図４参照）に設置される吸気口１１１（図４参照）から吸気した外気を冷却ファン５０に流動する吸気ダクト６１と、冷却ファン５０から吐出された外気（冷却風）を流動する吐出ダクト６５とを有している。
【００３０】
吐出ダクト６５は、本実施形態では、光学装置４５の各色光に対応させて、３つのダクトに分岐される。詳細には、吐出ダクト６５は、冷却ファン５０の吐出口５０１から吐出される外気を略垂直方向に曲げるＲ用吐出ダクト６６ＲとＧ用吐出ダクト６６ＧとＢ用吐出ダクト６６Ｂとの３つのダクトに分岐される。
【００３１】
Ｒ用吐出ダクト６６Ｒ、Ｇ用吐出ダクト６６Ｇ、Ｂ用吐出ダクト６６Ｂは、図２に示すように、光学装置４５の対応する各液晶パネル４５１の下側に配設される。そして、Ｒ用吐出ダクト６６Ｒ、Ｇ用吐出ダクト６６Ｇ、Ｂ用吐出ダクト６６Ｂは、冷却ファン５０から吐出される外気（冷却風）を各吐出口６６１Ｒ，６６１Ｇ，６６１Ｂから上方向に向けて吐出する。
【００３２】
図３、図４に示すように、Ｒ用吐出ダクト６６Ｒは、内部に流動変換部７０を有している。流動変換部７０は、Ｒ用吐出ダクト６６Ｒ内部を流動する冷却風の流動状態を乱すためのものである。流動変換部７０は、Ｒ用吐出ダクト６６Ｒの内壁６６２に、突出部としての突出片７１を複数有して構成されている。突出片７１は、内壁６６２に対して略垂直方向（法線方向）に突出し、また、複数の突出片７１は、略螺旋状となるように配設されている。なお、突出片７１は、内壁６６２に対して垂直方向ではなく、傾きを有して突出していてもよい。本実施形態では、突出片７１は４つ配設されている。なお、突出片７１の数は複数であればよい。
【００３３】
流動変換部７０は、Ｇ用吐出ダクト６６Ｇ、Ｂ用吐出ダクト６６Ｂにおいても、Ｒ用吐出ダクト６６Ｒと同様に構成されている。また、流動変換部７０は、吐出ダクト６５に対して吐出口（本実施形態では、吐出口６６１Ｒ，６６１Ｇ，６６１Ｂ）近傍に形成されている。
【００３４】
冷却装置５の動作を説明する。
図４に示すように、冷却ファン５０が駆動することにより、吸気口１１１から吸気した外気が、矢印Ａで示すように、吸気ダクト６１内を流動して冷却ファン５０に導入される。矢印Ｂで示すように、冷却ファン５０の吐出口５０１から吐出された外気（冷却風）が吐出ダクト６５内を流動する。ここまでの冷却風の流動状態は、略層流となっている。吐出ダクト６５内を流動した冷却風は、分岐された３つのＲ用吐出ダクト６６Ｒ、Ｇ用吐出ダクト６６Ｇ、Ｂ用吐出ダクト６６Ｂ内に流入する。
【００３５】
図４に示すように、Ｒ用吐出ダクト６６Ｒに流入した冷却風は、流動変換部７０の略螺旋状となるように配設された複数の突出片７１により、矢印Ｃで示すように、略螺旋状となる流動状態（乱流）に変換されて、吐出口６６１Ｒから光学装置４５に向けて略螺旋状に吐出される。
【００３６】
Ｒ用吐出ダクト６６Ｒの吐出口６６１Ｒから吐出された略螺旋状の乱流としての冷却風は、吐出口６６１Ｒの上方に位置する、Ｒ光用液晶パネル４５１Ｒ、入射側偏光板４５２、射出側偏光板４５３に吹き付けることにより、Ｒ光用液晶パネル４５１Ｒ、入射側偏光板４５２、射出側偏光板４５３で発生した熱を奪い冷却する。
【００３７】
なお、Ｇ用吐出ダクト６６Ｇ、Ｂ用吐出ダクト６６Ｂ内に流入した冷却風も、Ｒ用吐出ダクト６６Ｒに流入した冷却風と同様に流動状態を変換され、吐出口６６１Ｇ，６６１Ｂから略螺旋状に冷却風が吐出される。そして、吐出された冷却風により、上方に位置するＧ光用液晶パネル４５１Ｇ、Ｂ光用液晶パネル４５１Ｂ等を同様に冷却する。
【００３８】
上述した第１実施形態によれば、以下の効果が得られる。
本実施形態の冷却装置５は、冷却ファン５０とダクト６０（吐出ダクト６５）とを備え、吐出ダクト６５（Ｒ用吐出ダクト６６Ｒ、Ｇ用吐出ダクト６６Ｇ、Ｂ用吐出ダクト６６Ｂ）の内部に流動変換部７０を有している。この流動変換部７０の略螺旋状となるように配設された複数の突出片７１により、冷却風が略螺旋状となる流動状態（乱流）に変換されて、吐出口６６１Ｒ，６６１Ｇ，６６１Ｂから光学装置４５に向けて吐出される。光学装置４５に略螺旋状の冷却風を吹き付けることにより、光学装置４５の放熱効率を向上させることができ、結果として光学装置４５に対する冷却効率を向上させることができる。
【００３９】
本実施形態の冷却装置５によれば、冷却対象物となる光学装置４５に対して、一方向（下方向）から冷却風を吐出すればよく、別々の方向から冷却風を吐出させる必要がないため、冷却装置５の構造の簡素化や、冷却装置５の小型化が図れる。
【００４０】
本実施形態の冷却装置５によれば、流動変換部７０は、吐出ダクト６５の吐出口６６１Ｒ，６６１Ｇ，６６１Ｂ近傍に形成されることにより、略螺旋状に変換された冷却風を吐出口６６１Ｒ，６６１Ｇ，６６１Ｂから効率的に吐出させることができる。そのため、略螺旋状の冷却風による冷却効率を維持させて光学装置４５を冷却することができる。
【００４１】
本実施形態の冷却装置５によれば、冷却風として略螺旋状の乱流を光学装置４５に吹き付けることにより、略層流の冷却風を吹き付ける場合に比較して、光学装置４５（液晶パネル４５１、入射側偏光板４５２、射出側偏光板４５３）への塵埃の付着を低減することができる。
【００４２】
本実施形態のプロジェクター１によれば、上述した効果を有する冷却装置５を備えることにより、光学装置４５を効率的に冷却することができ、熱による光学装置４５の動作不良を低減して長寿命化を図ることができる。また、液晶パネル４５１等の光学部品への塵埃の付着を低減できることで、投写画像品質を維持することができる。
（第２実施形態）
【００４３】
図５は、第２実施形態に係る冷却装置８を示す概断面図である。図５は、説明の便宜上、Ｒ用吐出ダクト６６Ｒの断面を示している。図５を参照して、冷却装置８の構成及び動作を説明する。
【００４４】
本実施形態の冷却装置８は、流動変換部８０の構成が第１実施形態の流動変換部７０の構成と異なっており、その他は、第１実施形態と同様に構成される。図５では、第１実施形態と同様の構成には同様の符号を付記している。
【００４５】
図５に示すように、流動変換部８０は、Ｒ用吐出ダクト６６Ｒの内部に構成されている。流動変換部８０は、Ｒ用吐出ダクト６６Ｒの内壁６６２に、略螺旋状に連続して形成される突出部としての突出片８１を有して構成される。突出片８１は、内壁６６２に対して略垂直方向（法線方向）に突出している。なお、突出片８１は、内壁６６２に対して垂直方向ではなく、傾きを有して突出していてもよい。また、流動変換部８０は、Ｇ用吐出ダクト６６Ｇ、Ｂ用吐出ダクト６６Ｂにおいても同様に構成されている。
【００４６】
このように構成される冷却装置８において、冷却風がＲ用吐出ダクト６６Ｒ内部に流入した場合、冷却風は、流動変換部８０の略螺旋状に連続する突出片８１により、矢印Ｄで示すように、略螺旋状となる流動状態（乱流）に変換されて、吐出口６６１Ｒから光学装置４５（図５では図示省略）に向けて略螺旋状に吐出される。その後の光学装置４５の冷却に関しては、第１実施形態と同様となる。また、冷却風は、Ｇ用吐出ダクト６６Ｇ、Ｂ用吐出ダクト６６Ｂにおいても同様に変換される。
【００４７】
上述した第２実施形態によれば、第１実施形態での効果に加えて、以下の効果が得られる。
【００４８】
本実施形態の冷却装置８は、流動変換部８０が略螺旋状に連続して形成される突出片８１を有しているため、冷却風が、第１実施形態における螺旋状の流動状態に比べて、更に、螺旋状となる流動状態に変換することができる。従って、光学装置４５の放熱効率を更に向上させることができ、結果として光学装置４５に対する冷却効率を更に向上させることができる。
【００４９】
なお、上述した第１、第２実施形態に限定されず、その要旨を逸脱しない範囲において種々の変更や改良等を加えて実施することが可能である。変形例を以下に述べる。
【００５０】
（変形例１）前記第１、第２実施形態の冷却装置５，８は、光学装置４５を冷却対象物として適用している。しかし、これに限られず、光源装置４１、偏光変換素子４２４、及びプロジェクター１内部の発熱する部材等を、冷却対象物として適用することができる。なお、適用の仕方として、冷却対象物に対して個々に冷却装置を構成することでもよい。また、他の適用の仕方として、吐出ダクト６５を分岐して、冷却対象物（例えば偏光変換素子４２４）の位置まで延設し、延接したダクト内部に流動変換部７０，８０を構成することでもよい。
【００５１】
（変形例２）前記第１、第２実施形態の冷却装置５，８において、流動変換部７０，８０は、吐出ダクト６５（Ｒ用吐出ダクト６６Ｒ、Ｇ用吐出ダクト６６Ｇ、Ｂ用吐出ダクト６６Ｂ）の内壁６６２に形成されている。しかし、流動変換部７０，８０は、内壁６６２に一体で形成されずに、別体で内壁６６２に設置されていてもよい。
【００５２】
（変形例３）前記第１、第２実施形態の冷却装置５，８において、流動変換部７０，８０は、吐出ダクト６５（Ｒ用吐出ダクト６６Ｒ、Ｇ用吐出ダクト６６Ｇ、Ｂ用吐出ダクト６６Ｂ）の吐出口６６１Ｒ，６６１Ｇ，６６１Ｂ近傍に形成されているが、近傍に形成されていなくてもよく、吐出ダクト６５の内部に形成されていてもよい。
【００５３】
（変形例４）前記第１実施形態の冷却装置５において、流動変換部７０は、複数の突出片７１で構成され、この突出片７１が、略螺旋状に配設されている。しかし、これに限られず、複数の突出片は、ランダムに配設されていてもよい。これにより、冷却風の流動状態を乱すことができ、吐出ダクト６５から吐出される冷却風を、冷却効率を向上させる乱流に変換することができる。
【００５４】
（変形例５）前記第２実施形態の冷却装置８において、流動変換部８０は、略螺旋状に連続して形成される突出片８１を１つ有しているが、複数有していてもよい。この場合、突出片８１のピッチ間の内壁６６２に突出片８１と同様の略螺旋状に連続して形成される突出片を設置することで実現する。これにより、流動変換部８０を設置する長さを短くしても、突出片を複数形成することで、所望する螺旋状の流動状態を確保することができる。また、流動変換部８０を設置する長さを短くできることで、冷却装置８の小型化を図ることができる。
【００５５】
（変形例６）前記第１、第２実施形態の冷却装置５，８は、光学装置４５を冷却対象物として、液晶パネル４５１、入射側偏光板４５２、射出側偏光板４５３に、直接冷却風を吹き付けて冷却している。しかし、これに限られず、例えば、ヒートシンク等の放熱部材を取付けて放熱させることで冷却する装置等を冷却対象物とした場合にも適用することができ、放熱部材の放熱効率を向上させることができる。その場合、放熱部材の小型化も図ることができる。
【００５６】
（変形例７）前記第１、第２実施形態の光学ユニット４において、光学装置４５は、透過型の光変調装置（透過型の液晶パネル４５１）を採用している。しかし、これに限られず、反射型の光変調装置を採用してもよい。
【００５７】
（変形例８）前記第１、第２実施形態の光学ユニット４において、光学装置４５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００５８】
（変形例９）前記第１、第２実施形態の光学ユニット４において、光源装置４１から射出された光束の照度を均一化する照明光学装置４２として、レンズアレイ４２１，４２２からなるレンズインテグレーター光学系を採用しているが、これに限定されるものではなく、導光ロッドからなるロッドインテグレーター光学系も採用することができる。
【００５９】
（変形例１０）前記第１、第２実施形態の光学ユニット４において、光源装置４１の光源ランプ４１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００６０】
１…プロジェクター、５，８…冷却装置、４５…光学装置、５０…冷却ファン、６０…ダクト、６５…吐出ダクト、６６Ｂ…Ｂ用吐出ダクト、６６Ｇ…Ｇ用吐出ダクト、６６Ｒ…Ｒ用吐出ダクト、７０，８０…流動変換部、７１，８１…突出片、４５１…液晶パネル、６６１…吐出口、６６２…内壁。
【図１】
2011203518.tif 000003
【図２】
2011203518.tif 000004
【図３】
2011203518.tif 000005
【図４】
2011203518.tif 000006
【図５】
2011203518.tif 000007